(57)【特許請求の範囲】
【請求項１】
マンホールとおよび本管の角形側面孔に現場の状況に合わせて上下左右のいずれにも５０度の範囲内にて傾斜嵌付けを可能とする角筒体と取付板とからなる金属継手と、該金属継手の角筒体内に嵌入する角筒形をした本管，支管，枝管等の接続管との間にゴム輪を跨ぎ嵌めて接続するようにした接続継手において、該ゴム輪の跨ぎ嵌め両端部に２本の突条を設け、該突条間に４分割した帯状金属板の補強を兼ねた内折りコ形の曲折部を挟み入れ、該各帯状金属板を該角筒体および接続管に間隔を置いて周設するナットにボルト止めして該ゴム輪を締付けることにより該ゴム輪のコーナー角部間の平面部をずれ動くことなしに嵌着面に隙間なく圧着するようにしたことを特徴とする既設，新設のマンホール等の角形側面孔と角筒形をした本管および枝管，支管等の接続継手。
【発明の詳細な説明】
【０００１】
【発明が属する技術分野】
この発明は既設，新設のボックスカルバートマンホール等と角形の本管および枝管，支管等の接続継手に関するものである。
【０００２】
【従来の技術】
角形マンホール等の角形側面孔に角形本管などを嵌入接続する継手部は、特開２００２−２９４７２９号公報の図１９にて示しているように、各コーナーの角部の外面に補形ゴム帯を当てがい、その外側に円形のゴム輪を嵌め、該ゴム輪の外側に滑り調整当て具を被せ当て、その上からバンド締めして上記のゴム輪を嵌着面に圧着させるようにしてきたものである。
【０００３】
【発明が解決しようとする課題】
かかる要領はゴム輪をコーナー角部に圧着することはできるも、コーナー角部間の平面部はなお浮き離れて水封止が妨げられているという課題があった。
【０００４】
【課題を解決するための手段】
本発明は、マンホールとおよび本管の角形側面孔に現場の状況に合わせて上下左右のいずれにも５０度の範囲内にて傾斜嵌付けを可能とする角筒体と取付板とからなる金属継手と、該金属継手の角筒体内に嵌入する角筒形をした本管，支管，枝管等の接続管との間にゴム輪を跨ぎ嵌めて接続するようにした接続継手において、該ゴム輪の跨ぎ嵌め両端部に２本の突条を設け、該突条間に４分割した帯状金属板の補強を兼ねた内折りコ形の曲折部を挟み入れ、該各帯状金属板を該角筒体および接続管に間隔を置いて周設するナットにボルト止めして該ゴム輪を締付けることにより該ゴム輪のコーナー角部間の平面部をずれ動くことなしに嵌着面に隙間なく圧着するようにして、かかる課題を解決するようにしたのである。
【０００５】
【発明の実施の形態】
１は金属継手で、四角形の取付板２に四角形の中ぐり部３を設けて、そこに金属製の角筒体４を嵌付けて溶接取付けする。角筒体４は図２に示すように取付板２に対して直角付けとするほか、図７に１例を示すように現場の状況に合わせて上下左右のそれぞれのいずれかに５０度の範囲内で傾斜させて取付けることができる。４ａは外部筒であり、４ｂは内部筒である。なお外部筒４ａの外面に図１，図２に示すように間隔を置いて高ナット４ｃを溶接にて周設している。
【０００６】
金属継手１は図３に示すようにボックスカルバートなどからなる角形マンホール５または図８に示すボックスカルバートを含む角形本管６の角形側面孔７の外面に水膨張性シール材８を裏当てした取付板２を当てて、取付ボルト９止めにて取付ける。角筒体４の内部筒４ａは側面孔７内に嵌入する。なお取付ボルト９は図１，図４に示すように角形側面孔７を囲む外面に同一平面となるように段落付けした帯形座板１０に並列取付けしてなる袋ナット１１にて受け止めさせる。既設のマンホールや角形本管の角形側面孔の場合は、周知の打込み形アンカーナット（図示してない）にかえられる。
【０００７】
金属継手１の角筒体４内に外側からボックスカルバートなどの角形本管６を挿嵌する。この際、同形の角形に成形形成したゴム輪１２を外部筒４ａと角形本管６との間に跨ぎ嵌め、該ゴム輪１２の両端部に図１に示すようにコーナー角曲げ部１３を有して４分割形成した帯状金具板１４を被せ当て、帯状金具板１４をゴム輪１２外にてボルト１５止めするのである。外部筒４ａ側のボルト１６は前記した高ナット４ｃにて先部を受止め、角形本管６側のボルト１５はインサート成形により本管と同一平面をなすように設けた角輪状帯板１６の各袋ナット１６ａにて受け止めるようにしてゴム輪１２を締付ける。
【０００８】
しかして帯状金具板１４は図４に示すように薄板で作成するときは両端下に剛性補強を兼ねた内折りコ形の折曲部１４ａを設け、厚板で作成するときは図７に示すような溶接丸棒部１４ｂや溶接角棒部１４ｃを設け、またゴム輪１２にはこれらを挟み入れる２本の突条１２ａ，１２ｂを設けて、ずれ動きが生じないようにされる。
【０００９】
かくて図３乃至図５に示すようにゴム輪１２はコーナー角部はもちろんのことコーナー角部間の平面部も嵌着面に隙間なく圧着することとなる。なお、４ｄは外筒部４ａの外端に設けた抜け止め用の突環である。また帯状金具板１４は図示したコーナー角部を有す４分割体とするほかコーナー角部と直線部別の分割体にて形成してもよい。また、ゴム輪１２は中間に外側に膨出するたるみ部１２ｃを設けて、図６に示すように角形本管６が震動等により上下左右に傾斜するときもたるみ部１２ｃが伸縮追従して水封止を維持し続けることとなる。
【００１０】
図９は角形本管６に枝管，支管１７を接続した例を示すものであり、各部の詳細は前例と同じである。
【００１１】
【発明の効果】
本発明は以上のようにして、角形の外筒部と角形本管などの角形接続管との間に跨ぎ嵌めするゴム輪を予め角形にて成形することと、該ゴム輪の跨ぎ嵌め両端をコーナー角部を有す帯状金具板の被せ当てとボルトによるゴム輪外での締付けによりコーナー角部のほか該角部間の平面部も嵌着面に隙間なく圧着して水封止を全うさせることができるという効果を生ずる。
【００１２】
ゴム輪をゴム輪外でボルト止めする帯状金具板の押圧にて全周を偏りなく圧着するようにしたので、ゴム輪に無理な力が加わらず亀裂断裂などの生ずるおそれがなく安定して水封止することができるという効果を生ずる。
【図面の簡単な説明】
【図１】  金属継手と角形マンホールおよび角形本管を接続前の状態てに示す斜視図
【図２】  （ａ）は金属継手の正面図、（ｂ）は同、側面図、（ｂ）は同、背面図
【図３】  同、接続してゴム輪を帯状金具板のボルト止めにて圧着した状態を示す斜視図
【図４】  同、接続した部分の上半を示す拡大部分側断面図
【図５】  同、角形本管のコーナー部分を示す拡大部分正面図
【図６】  （ａ）は接続した角形本管が震動等により上方に傾斜した状態を示す拡大部分側断面図、（ｂ）は同、下方に傾斜した状態を示す拡大部分側断面図
【図７】  （ａ）は分厚な帯状金具板の両端下に溶接丸棒部を設けた例、（ｂ）はその一方を溶接角棒部にした例を示す断面図
【図８】  取付板に現場状況に応じて角度を設けて角筒部を溶接取付けした金属継手と、嵌入する角形本管，枝管，支管の例を示す側面図
【図９】  角形本管に角形の枝管，支管を接続取付けした状態例を示す斜視図
【符号の説明】
１は金属継手
２は取付板
３は中ぐり部
４は角筒体
４ａは外筒部
４ｂは内筒部
４ｃは高ナット
４ｄは突環
５は角形マンホール
６は角形本管
７は角形側面孔
８は水膨張性シール材
９は取付ボルト
１０は帯形座板
１１は袋ナット
１２はゴム輪
１２ｃはたるみ部
１３はコーナー角曲げ部
１４は帯状金具板
１４ａはコ形の曲折部
１４ｂは丸棒部
１４ｃは角棒部
１５はボルト
１６は角輪状帯板
１６ａは角輪状帯板の表面に開口して設けた袋ナット
１７は角形の枝管，支管
【図１】
0003978401.tif 000002
【図２】
0003978401.tif 000003
【図３】
0003978401.tif 000004
【図４】
0003978401.tif 000005
【図５】
0003978401.tif 000006
【図６】
0003978401.tif 000007
【図７】
0003978401.tif 000008
【図８】
0003978401.tif 000009
【図９】
0003978401.tif 000010